(57)【要約】【課題】ブラシ摩耗粉によるブラシモータとコンプレッサハウジングとの間の漏電の発生を防止することができるコンプレッサを提供することを課題とする。【解決手段】モータ部１ｂのコンプレッサハウジング１の内周面において、絶縁カバー１３はヨーク部材７の前端部からコンプレッサ本体２後部の直流ブラシモータ３に対向する面２ｂまでを覆っている。また、ヨーク部材７の内周面は電着塗装による絶縁膜で覆われている。すなわち、モータ部２のコンプレッサハウジング１の内周面においてブラシ摩耗粉が堆積する虞のある部分が漏電防止部材により覆われているため、ブラシ摩耗粉が漏電防止部材の上に堆積した状態で直流ブラシモータ３に電流を流してもブラシ摩耗粉を介して直流ブラシモータ３とコンプレッサハウジング１との間で漏電が発生することが防止される。【選択図】        図１
2005069007.tif 000002
【特許請求の範囲】
【請求項１】
コンプレッサハウジング内に駆動用のブラシモータを内蔵したコンプレッサにおいて、
絶縁性を有すると共にブラシモータから発生するブラシ摩耗粉が堆積するコンプレッサハウジング内面の部分を覆うように配置された漏電防止部材を備え、
ブラシモータに電流を流したときにブラシ摩耗粉を介してブラシモータとコンプレッサハウジングとの間で漏電が発生することを前記漏電防止部材により防止することを特徴とするコンプレッサ。
【請求項２】
前記漏電防止部材は、コンプレッサハウジング内に嵌め込まれる絶縁カバーを含むことを特徴とする請求項１に記載のコンプレッサ。
【請求項３】
前記漏電防止部材は、コンプレッサハウジング内面に貼り付けられる絶縁フィルムを含むことを特徴とする請求項１または２に記載のコンプレッサ。
【請求項４】
前記漏電防止部材は、コンプレッサハウジング内面に電着塗装して形成される絶縁膜を含むことを特徴とする請求項１〜３のいずれか一項に記載のコンプレッサ。
【発明の詳細な説明】
【０００１】
【発明の属する技術分野】
この発明は、コンプレッサに係り、特にハウジング内に駆動用のブラシモータを内蔵したコンプレッサに関する。
【０００２】
【従来の技術】
近年、車両等に搭載されるコンプレッサでは、小型化等を目的としてコンプレッサハウジング内に駆動用のモータを内蔵したものが開発されている。このようなコンプレッサの駆動用モータとして、直流ブラシモータ等のブラシ型のモータを使用すると、モータの駆動に伴ってブラシから摩耗粉が発生することとなる。このブラシ摩耗粉は導電性を有するため、コンプレッサハウジングの内面上に堆積すると、ブラシ摩耗粉を介してブラシモータとコンプレッサハウジングとの間で漏電が発生する虞が生じてしまう。
【０００３】
特許文献１には、ブラシ摩耗粉が鉄製のモータフレームに堆積することによる絶縁劣化を防止すると共にブラシ間短絡線の飛び出しを防ぐために樹脂等から形成されるブラシホルダーカバーをブラシホルダーとモータフレームとの間に配置した直流ブラシモータが開示されている。しかしながら、このような直流ブラシモータをコンプレッサの駆動用モータとして使用しても、モータの駆動に伴って発生したブラシ摩耗粉がコンプレッサハウジング内の各所に堆積されると、漏電発生の虞を除去することはできない。
【０００４】
【特許文献１】
特開平１１−１４６５９５号公報
【０００５】
【発明が解決しようとする課題】
このようにコンプレッサハウジング内に駆動用のブラシモータを内蔵したコンプレッサでは、堆積したブラシ摩耗粉を介してブラシモータとコンプレッサハウジングとの間で漏電が発生する虞がある。
この発明はこのような問題点を解消するためになされたもので、ブラシ摩耗粉によるブラシモータとコンプレッサハウジングとの間の漏電の発生を防止することができるコンプレッサを提供することを目的とする。
【０００６】
【課題を解決するための手段】
この発明に係るコンプレッサは、コンプレッサハウジング内に駆動用のブラシモータを内蔵したコンプレッサにおいて、絶縁性を有すると共にブラシモータから発生するブラシ摩耗粉が堆積するコンプレッサハウジング内面の部分を覆うように配置された漏電防止部材を備え、ブラシモータに電流を流したときにブラシ摩耗粉を介してブラシモータとコンプレッサハウジングとの間で漏電が発生することを漏電防止部材により防止するものである。
コンプレッサハウジングの内面において、ブラシ摩耗粉が堆積する部分が全て漏電防止部材により覆われているので、ブラシ摩耗粉を介してブラシモータとコンプレッサハウジングとの間に形成される虞のある漏電経路をこの漏電防止部材で遮断することができる。
【０００７】
漏電防止部材は、コンプレッサハウジング内に嵌め込まれる絶縁カバーを含むことができる。
また、漏電防止部材は、コンプレッサハウジング内面に貼り付けられる絶縁フィルムを含むことができる。
さらに、漏電防止部材は、コンプレッサハウジング内面に電着塗装して形成される絶縁膜を含むことができる。
【０００８】
【発明の実施の形態】
以下、この発明の実施の形態を添付図面に基づいて説明する。
図１に、この発明の実施の形態に係るコンプレッサの全体構成を示す。このコンプレッサは、ほぼ円筒状のコンプレッサハウジング１を有している。コンプレッサハウジング１は、コンプレッサ機能部１ａとモータ部１ｂとからなっており、コンプレッサ機能部１ａにコンプレッサ本体２が組み付けられると共にモータ部１ｂにコンプレッサ本体２を駆動するための直流ブラシモータ３が内蔵されている。
ここで、コンプレッサ機能部１ａ側をコンプレッサの前側とし、モータ部１ｂ側をコンプレッサの後側とする。なお、コンプレッサ本体２はその前端部に吸入口２ａと図示されない吐出口とを有している。
【０００９】
直流ブラシモータ３は、モータ部１ｂのコンプレッサハウジング１に回転自在に取り付けられたロータ４を有している。ロータ４は、その前端部がコンプレッサ本体２内部の回転部に接続されると共に、その側方すなわち径方向に突出した部分に巻回されたコイル５を有している。また、ロータ４の後部にはその外周に沿って整流子６が固定されており、整流子６はロータ４と共に回転するようになっている。
【００１０】
一方、モータ部１ｂのコンプレッサハウジング１の内周面には、環状のヨーク部材７が取り付けられており、ヨーク部材７の前側段部の内周面上にはロータ５の外周面に対向するように磁石からなるステータ８が固定されている。また、ヨーク部材７の後側段部の内周側には、複数のブラシ装置９が周方向に沿って所定の間隔を隔てて配置されており、各ブラシ装置９のブラシ１０は整流子６の外周面に当接するようにバネ１１により整流子６の軸心、すなわちロータ４の軸心に向かって付勢されている。また、各ブラシ装置９はコンプレッサハウジング１外部の電源１２に接続されており、このブラシ装置９のブラシ１０を介して電源１２から整流子６に給電が行なわれるようになっている。
【００１１】
また、モータ部１ｂのコンプレッサハウジング１の内周面において、ヨーク部材７の前側段部とコンプレッサ本体２との間に、ＰＢＴ及びＰＰＳ等の樹脂からなる環状の絶縁カバー１３が嵌め込まれており、この絶縁カバー１３はヨーク部材７の前端部からコンプレッサ本体２後部の直流ブラシモータ３に対向する面２ｂまでを覆っている。また、ヨーク部材７はＦｅ等から形成されているが、その内周面は電着塗装されて樹脂からなる絶縁膜で覆われている。すなわち、モータ部１ｂのコンプレッサハウジング１の内周面は、そのほぼ全体が漏電防止部材により覆われた状態になっている。
なお、直流ブラシモータ３は、その外面に電着塗装による絶縁膜が形成されて絶縁されているものとする。
【００１２】
次に、この実施の形態に係るコンプレッサの作用について説明する。電源１２から直流ブラシモータ３の各ブラシ装置９に給電すると、各ブラシ装置９のブラシ１０から整流子６を介してロータ４のコイル５に電流が流れ、これによりロータ４がステータ８に対して回転してコンプレッサ本体２が駆動される。
このとき、直流ブラシモータ３の駆動に伴って各ブラシ装置９のブラシ１０から導電性を有する摩耗粉が発生する。このブラシ摩耗粉は、例えば、ロータ４やステータ８の隙間を通ってモータ部１ｂのコンプレッサハウジング１の内周面全体に堆積する。ここで、ヨーク部材７の内周面が電着塗装による絶縁膜で覆われると共にヨーク部材７の前端部からコンプレッサ本体２後部の直流ブラシモータ３に対向する面２ｂまでが絶縁カバー１３により覆われている、すなわち、モータ部２のコンプレッサハウジング１の内周面においてブラシ摩耗粉が堆積する虞のある部分が絶縁性を有する漏電防止部材により覆われているため、この漏電防止部材の上にブラシ摩耗粉が堆積した状態で直流ブラシモータ３に電流を流しても、ブラシ摩耗粉を介して直流ブラシモータ３とコンプレッサハウジング１との間で漏電が発生することが漏電防止部材により防止される。
【００１３】
また、ヨーク部材７及び絶縁カバー１３はそれぞれ環状に形成されており、これらヨーク部材７及び絶縁カバー１３はそれぞれモータ部１ｂのコンプレッサハウジング１の内周面をその周方向全体に亙って覆っているため、直流ブラシモータ３のロータ４の回転によりブラシ摩耗粉が攪拌されて様々な方向に飛散しても、ブラシ摩擦粉による漏電の発生を防止することができる。従って、コンプレッサハウジング１外周部のどの部分を鉛直方向下部に位置させても、堆積したブラシ摩擦粉による漏電の発生を防止することができる。
【００１４】
なお、上述の実施の形態では、コンプレッサ本体２が直流ブラシモータ３により駆動されるようになっていたが、コンプレッサ本体２内の回転部に接続されているロータ４の後端部にエンジンを接続して、直流ブラシモータ３だけでなくエンジンでもコンプレッサ本体２を駆動し得るようにしてもよい、すなわち、本発明のコンプレッサをハイブリッド車等に搭載することができる。ここで、ハイブリッド車にあっては１００Ｖ以上の高い電源電圧を使用する車両も多く見られるため、上述のように漏電防止部材を用いて直流ブラシモータ３とコンプレッサハウジング１との間の漏電の発生を防止することにより、高い安全性を確保することができる。
【００１５】
また、上述の実施の形態では、ヨーク部材７の内周面を電着塗装による絶縁膜で覆っていたが、その代わりに絶縁フィルムで覆うこともできる。この絶縁フィルムとしては、ＰＥＴ、ＰＥＮ、ＰＩ、ＰＥＩ及びＰＰＳ等の樹脂からなるフィルムを使用することができ、このフィルムを成形して接着剤等により貼り付ける、或いは、フィルムをそのまま被せる等して覆うことができる。
【００１６】
また、上述の実施の形態において、モータ部１ｂのコンプレッサハウジング１内周面を覆う漏電防止部材としては、ブラシ摩耗粉が堆積するコンプレッサハウジング１内面の部分を覆うことができれば、絶縁カバー１３、電着塗装により形成される絶縁膜及び絶縁フィルムのうち１つを使用しても、２つを組み合わせて使用しても、或いは、３つとも全て使用してもよい。
ここで、絶縁カバー１３を使用しない場合には、モータ部１ｂのコンプレッサハウジング１内周面においてヨーク部材７により覆われる部分も覆われない部分も全て、電着塗装による絶縁膜及び絶縁フィルムにより覆うことが好ましい。加えて、例えばモータ部１ｂのコンプレッサハウジング１の内周面とコンプレッサ本体２の後部、すなわちモータ部１ｂのコンプレッサハウジング１内に位置するコンプレッサ本体２とにより形成される環状の空間１４等にブラシ摩耗粉が堆積しても漏電の発生を防止できるように、モータ部１ｂのコンプレッサハウジング１内に位置するコンプレッサ本体２の表面全面を、電着塗装による絶縁膜または絶縁フィルムにより覆うことが好ましい。このようにすればブラシ摩擦粉を介して直流ブラシモータ３からコンプレッサ本体２へ電流が流れることを防止することができ、これによりモータ３とコンプレッサハウジング１との間の漏電の発生をより確実に防止することができる。
【００１７】
また、上述の実施の形態のように、モータ部１ｂのコンプレッサハウジング１の内周面が漏電防止部材により周方向全体に亙って覆われる必要はなく、ブラシ摩耗粉が堆積する虞のある部分のみが覆われていれば本実施の形態と同様の効果を得ることができる。
また、ほぼ円筒状のコンプレッサハウジング１に限定されず、漏電防止部材によりブラシ摩耗粉が堆積する虞のある部分が覆われていれば、その他の形状を有するコンプレッサハウジングを用いることができる。
さらに、上述の実施の形態のコンプレッサは、スクロール式のコンプレッサや、その他各種のコンプレッサに適用することができる。
【００１８】
【発明の効果】
以上説明したように、この発明によれば、絶縁性を有すると共にブラシモータから発生するブラシ摩耗粉が堆積するコンプレッサハウジング内面の部分を覆うように配置された漏電防止部材を備え、ブラシモータに電流を流したときにブラシ摩耗粉を介してブラシモータとコンプレッサハウジングとの間で漏電が発生することを漏電防止部材により防止するようにしたので、ブラシ摩耗粉によるブラシモータとコンプレッサハウジングとの間の漏電の発生を防止することができるコンプレッサを実現することができる。
【図面の簡単な説明】
【図１】この発明の実施の形態に係るコンプレッサの全体構成を示す一部破断断面図である。
【符号の説明】
１  コンプレッサハウジング、１ａ  コンプレッサ機能部、１ｂ  モータ部、２  コンプレッサ本体、３  直流ブラシモータ、４  ロータ、５  コイル、６  整流子、７  ヨーク部材、８  ステータ、９  ブラシ装置、１０  ブラシ、１１
バネ、１２  電源、１３  絶縁カバー。
【図１】
2005069007.tif 000003